【手続補正書】
【提出日】平成16年6月10日(2004.6.10)
【手続補正１】
【補正対象書類名】明細書
【補正対象項目名】発明の名称
【補正方法】変更
【補正の内容】
【発明の名称】画像処理装置、画像処理方法及びコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
固定長符号化された画像信号を誤り訂正すると共に誤りが無いときはノーエラー信号を出力する誤り訂正手段と、
上記誤り訂正手段により誤り訂正されたノーエラーの画像信号を蓄積する蓄積手段と、
上記画像信号が静止画であることを検出する検出手段と、
上記検出手段により画像信号が静止画であることが検出され、かつすでに上記ノーエラー信号が得られ上記蓄積手段にノーエラーの画像信号が蓄積されているときに、上記蓄積手段に蓄積されたノーエラーの画像信号を読み出し出力する出力手段とを備えたことを特徴とする画像処理装置。
【請求項２】
上記画像信号は記録媒体から再生された信号であり、
上記記録媒体の同一静止画部分が繰り返し複数画面分記録された部分を再生し、上記固定長符号化処理単位内の全データに誤りが無いときに上記出力手段が上記蓄積手段に蓄積されたノーエラーの画像信号を読み出し出力することを特徴とする請求項１に記載の画像処理装置。
【請求項３】
上記出力手段により出力されたノーエラーの画像信号を復号化する復号化手段を設けたことを特徴とする請求項１または２に記載の画像処理装置。
【請求項４】
固定長符号化された画像信号を誤り訂正すると共に誤りが無いときはノーエラー信号を出力する誤り訂正手順と、
上記誤り訂正手順により誤り訂正されたノーエラーの画像信号を蓄積手段に蓄積させる蓄積手順と、
上記画像信号が静止画であることを検出する検出手順と、
上記検出手順により画像信号が静止画であることが検出され、かつすでに上記ノーエラー信号が得られ上記蓄積手段にノーエラーの画像信号が蓄積されているときに上記蓄積手段に蓄積されたノーエラーの画像信号を読み出し出力する出力手順とをコンピュータに実行させるためのプログラムを記録したことを特徴とするコンピュータ読み取り可能な記録媒体。
【請求項５】
上記画像信号は記録媒体から再生された信号であり、
上記記録媒体の同一静止画部分が繰り返し複数画面分記録された部分を再生し、上記固定長符号化処理単位内の全データに誤りが無いときに上記出力手順は上記蓄積手段に蓄積されたノーエラーの画像信号を読み出し出力することを特徴とする請求項４に記載のコンピュータ読み取り可能な記録媒体。
【請求項６】
上記出力手順により出力されたノーエラーの画像信号を復号化する復号化手順をコンピュータに実行させることを特徴とする請求項４または５に記載のコンピュータ読み取り可能な記録媒体。
【請求項７】
固定長符号化された画像信号を誤り訂正すると共に誤りが無いときはノーエラー信号を出力する誤り訂正工程と、
上記誤り訂正工程により誤り訂正されたノーエラーの画像信号を蓄積手段に蓄積する蓄積工程と、
上記画像信号が静止画であることを検出する検出工程と、
上記検出工程により画像信号が静止画であることが検出され、かつすでに上記ノーエラー信号が得られ上記蓄積手段にノーエラーの画像信号が蓄積されているときに、上記蓄積手段に蓄積されたノーエラーの画像信号を読み出し出力する出力工程とを備えたことを特徴とする画像処理方法。
【請求項８】
上記画像信号は記録媒体から再生された信号であり、
上記記録媒体の同一静止画部分が繰り返し複数画面分記録された部分を再生し、上記固定長符号化処理単位内の全データに誤りが無いときに上記出力工程は上記蓄積工程により蓄積手段に蓄積されたノーエラーの画像信号を読み出し出力することを特徴とする請求項７に記載の画像処理方法。
【請求項９】
上記出力工程により出力されたノーエラーの画像信号を復号化する復号化工程を備えたことを特徴とする請求項７または８に記載の画像処理方法。
【手続補正３】
【補正対象書類名】明細書
【補正対象項目名】０００１
【補正方法】変更
【補正の内容】
【０００１】
【発明の属する技術分野】
本発明はカムコーダ、ビデオカセットレコーダ等を含むディジタル記録再生装置の再生時に用いて好適な画像処理装置、画像処理方法及びこの画像処理装置で用いられるコンピュータ読み取り可能な記録媒体に関するものである。
【手続補正４】
【補正対象書類名】明細書
【補正対象項目名】０００３
【補正方法】変更
【補正の内容】
【０００３】
図９は従来のディジタル記録再生装置を示す。まず、記録系について説明する。図９において、４０１はビデオ信号入力端子、４０２はアナログ・ディジタル変換を行うＡ／Ｄコンバータ、４０３はディジタル化されたビデオ信号をＮ×Ｍ（Ｎ、Ｍ：整数）のブロック単位のデータ列に変換するブロック化回路、４０４はブロック単位データにＤＣＴ（離散コサイン変換）等の直交変換を施して直交変換係数を出力する直交変換回路、４０５は直交変換係数のデータ量を削減するために直交変換係数の量子化を行う量子化回路、４０６は量子化データを可変長符号化し、その後さらに固定長データに変換する可変長符号化回路、４０７は再生時の誤り訂正で使用される訂正符号を固定長データに付加する訂正符号付加回路、４０８はＮＲＺ変調等により訂正符号付加固定長データを記録に適したデータに変換する変調回路、４０９は変調データを記録再生する記録再生部である。
【手続補正５】
【補正対象書類名】明細書
【補正対象項目名】０００９
【補正方法】変更
【補正の内容】
【０００９】
サーチ再生時には、前述したように各１記録トラック内では、その部分データが再生されるのみである。部分データ内に分割固定長ブロック、つまりシンクブロック内の全データが再生されれば、直交変換係数ブロックのＤＣ、ＡＣＬ係数の復号が可能となるが、ＡＣＨ係数は固定長ブロック内の全データが再生されないと復号できないため、サーチ再生時にはＡＣＨ係数は復号できない。
【手続補正６】
【補正対象書類名】明細書
【補正対象項目名】００１０
【補正方法】変更
【補正の内容】
【００１０】
【発明が解決しようとする課題】
上述のように、従来のディジタル記録再生装置では、同一静止画が複数フレーム記録されている場合においても、サーチ再生時にＡＣＨ係数は復号されることがないので、高次の直交変換係数が欠如した画像となり、高域周波数成分の欠落した画像であるため、画質が著しく劣化するという問題があった。
【手続補正７】
【補正対象書類名】明細書
【補正対象項目名】００１２
【補正方法】変更
【補正の内容】
【００１２】
【課題を解決するための手段】
本発明の画像処理装置は、固定長符号化された画像信号を誤り訂正すると共に誤りが無いときはノーエラー信号を出力する誤り訂正手段と、上記誤り訂正手段により誤り訂正されたノーエラーの画像信号を蓄積する蓄積手段と、上記画像信号が静止画であることを検出する検出手段と、上記検出手段により画像信号が静止画であることが検出され、かつすでに上記ノーエラー信号が得られ上記蓄積手段にノーエラーの画像信号が蓄積されているときに、上記蓄積手段に蓄積されたノーエラーの画像信号を読み出し出力する出力手段とを備えたことを特徴とする。
【手続補正８】
【補正対象書類名】明細書
【補正対象項目名】００１３
【補正方法】変更
【補正の内容】
【００１３】
本発明のコンピュータ読み取り可能な記録媒体は、固定長符号化された画像信号を誤り訂正すると共に誤りが無いときはノーエラー信号を出力する誤り訂正手順と、上記誤り訂正手順により誤り訂正されたノーエラーの画像信号を蓄積手段に蓄積させる蓄積手順と、上記画像信号が静止画であることを検出する検出手順と、上記検出手順により画像信号が静止画であることが検出され、かつすでに上記ノーエラー信号が得られ上記蓄積手段にノーエラーの画像信号が蓄積されているときに上記蓄積手段に蓄積されたノーエラーの画像信号を読み出し出力する出力手順とをコンピュータに実行させるためのプログラムを記録したことを特徴とする。
本発明の画像処理方法は、固定長符号化された画像信号を誤り訂正すると共に誤りが無いときはノーエラー信号を出力する誤り訂正工程と、上記誤り訂正工程により誤り訂正されたノーエラーの画像信号を蓄積手段に蓄積する蓄積工程と、上記画像信号が静止画であることを検出する検出工程と、上記検出工程により画像信号が静止画であることが検出され、かつすでに上記ノーエラー信号が得られ上記蓄積手段にノーエラーの画像信号が蓄積されているときに、上記蓄積手段に蓄積されたノーエラーの画像信号を読み出し出力する出力工程とを備えたことを特徴とする。
【手続補正９】
【補正対象書類名】明細書
【補正対象項目名】００２２
【補正方法】変更
【補正の内容】
【００２２】
図４は静止画サーチ再生時の動作説明図である。図４（ａ）のように、サーチ再生時には１記録トラック内ではその一部分しか再生されないが、サーチ再生された部分内のシンクブロック内がノーエラーになると、そのデータはメモリ１１３に蓄積される。図４（ｂ）はメモリ１１３内のトラックイメージである。Ｓフレームのサーチ再生期間に各トラックからのノーエラーとなったシンクブロックが図４（ｂ）に示されるようにメモリ１１３に蓄積される。図２のステップＳ１０では固定長ブロックとなるｎ個のシンクブロックがメモリ１１３に蓄積されたか否かを判定し、蓄積されると、静止画検出・ノーエラータイミング信号生成回路１１５は、メモリ１１３の出力を選択するようにセレクタ１１４を制御する。
【手続補正１０】
【補正対象書類名】明細書
【補正対象項目名】００２３
【補正方法】変更
【補正の内容】
【００２３】
セレクタ１１４が誤り訂正回路１１２の出力を選択している時は、固定長ブロック内の全シンクブロックが未だサーチ再生されておらず、可変長復号化回路１１６はＤＣ、ＡＣＬ係数を復号する。セレクタ１１４がメモリ１１３の出力を選択している時は、全シンクブロックがすでにサーチ再生されており、ＤＣ、ＡＣＬ、ＡＣＨ係数の全てが復号可能となる。
【手続補正１１】
【補正対象書類名】明細書
【補正対象項目名】００２７
【補正方法】変更
【補正の内容】
【００２７】
一方、ノーエラーブロック信号入力端子１００４から入力される誤り訂正回路１１２の出力であるノーエラーブロック信号は、位置情報検出回路１００５に入力され、ノーエラーブロックの画面上の位置情報、同一静止画の期間中は同一番号である静止画番号を出力する。位置情報検出回路１００５の出力の一つである位置情報は、固定長ブロック番号検出回路１００６に入力され、固定長ブロック番号検出回路１００６はノーエラーブロックが含まれる固定長ブロックの番号を検出する。また、この位置情報は書込アドレス発生回路１００７にも入力され、書込アドレス発生回路１００７はノーエラーフラグメモリ１０１０の画面上位置に対応する書込アドレスを発生し、ノーエラーフラグメモリ１０１０の画面上位置に対応するアドレスにノーエラーフラグを立てる。
【手続補正１２】
【補正対象書類名】明細書
【補正対象項目名】００３３
【補正方法】変更
【補正の内容】
【００３３】
【発明の効果】
以上説明したように、本発明によれば、画像信号が静止画であることが検出され、すでにノーエラー信号が得られノーエラーの画像信号を蓄積しているときに蓄積手段に蓄積された画像信号を読み出し出力するので、画質を向上させることができる。
【手続補正１３】
【補正対象書類名】図面
【補正対象項目名】図８
【補正方法】変更
【補正の内容】
【図８】
1999041557.tif 000001